(57)【特許請求の範囲】
【請求項１】
オプションのボードを挿入させるソケットであって、
第一側板と第二側板からなり、前記第二側板が前記第一側板の脇に平行に対応して設置され、前記第一側板と前記第二側板間で、前記ボードが挿入されるスロット及び前記スロットの一端で広くなる開口端を規定する台座と、
第一回転軸、第一回転部材、及び第一ロック部を有する第一ロック部材と、を含み、
前記第一回転軸は、前記台座の前記開口端に受容されて前記台座に枢着され、
前記第一回転部材は、一端が前記第一回転軸に接続され他端が前記台座の前記スロットに面する内壁を有する２つの端部と、前記台座の前記第二側板に面する第一側壁及び前記台座の前記第一側板に面する第二側壁と、を備え、前記第一側壁は前記台座の前記スロットに整列されて前記ボードの側端部を受ける第一溝が形成され、
前記第一ロック部は、前記第一回転部材の前記他端の前記内壁と接続されて前記ボードの側端に規定される切り欠き部と係合するように構成され、前記第一回転部材の前記第一側壁と同一平面にある第一側壁を備え、前記台座の前記第二側板の方向にブロックが形成され、該ブロックが前記台座の前記スロットに整列されて前記ボードの切り欠き部と係合し、
前記第一ロック部材の前記第一回転部材の前記第一側板の垂直方向に対する幅が前記台座の前記開口端の前記第一側板の垂直方向に対する幅より狭くなることで、前記第一回転部材の第一側壁と前記第一回転軸と前記台座の前記第二側板との間で第一空間を形成することを特徴とするソケット。
【請求項２】
第二回転軸、第二回転部材、及び第二ロック部を有する第二ロック部材をさらに含み、
前記第二ロック部材は、前記台座の第一側板及び第二側板により規定された前記スロットの他端で広くなる開口端に受容されて前記台座に枢着して設置され、
前記第二回転部材は、前記第二回転軸に接続された一端と、前記台座の前記スロットに面する内壁を有する他端とを備え、
前記第二回転部材はさらに、前記台座の前記第一側板に面する第一側壁と、前記台座の前記第二側板に面する第二側壁と、を備え、前記第一側壁は、前記台座の前記スロットに整列されて前記ボードの対向する側端部を受ける第二溝が形成され、
前記第二ロック部は、前記第二回転部材の前記他端の前記内壁に接続され、前記ボードの対向する側端に規定される切り欠き部と係合するように構成され、
前記第二ロック部は、前記第二回転部材の前記第一側壁と同一平面にある第一側壁を備え、前記台座の第一側板の方向にブロックが形成され、前記ブロックが前記台座の前記スロットと整列されて前記ボードの対向する側端の前記切り欠き部と係合し、
前記第二ロック部材の前記第二回転部材の前記第一側板の垂直方向に対する幅が前記台座の他の開口端の前記第一側板の垂直方向に対する幅より狭くなることで、前記第二回転部材の前記第一側壁と前記第二回転軸と前記台座の前記第一側板との間で第二空間を形成し、
前記第一ロック部材の前記第一回転部材は、前記第二空間に整列され、前記第二ロック部材の前記第二回転部材は、前記第一空間に整列される
ことを特徴とする、請求項１に記載のソケット。
【請求項３】
前記第一ロック部は、前記第一回転部材から凸状に形成されたロック部材であることを特徴とする、請求項１に記載のソケット。
【請求項４】
前記第一ロック部は前記第一回転部材から凸状に形成されたロック部材であり、また前記第二ロック部は前記第二回転部材から凸状に形成されたロック部材であることを特徴とする、請求項２に記載のソケット。
【請求項５】
前記第一ロック部材の前記第一回転部材の前記第一側板の垂直方向に対する幅は、前記台座の前記開口端の前記第一回転軸の前記第一側板の垂直方向に対する幅の二分の一に等しく、また前記第二ロック部材の前記第二回転部材の前記第一側板の垂直方向に対する幅は、前記台座の前記他の開口端の前記第一側板の垂直方向に対する幅の二分の一に等しいことを特徴とする、請求項２に記載のソケット。
【請求項６】
前記第二ロック部材は、前記第一ロック部材と同一形状であることを特徴とする、請求項５に記載のソケット。
【請求項７】
オプションで第一板と第二板に挿入されるマザーボードであって、
第一側板及び該第一側板と並行な第二側板を含む第一台座と、第一ロック部材と、を含み、前記第一及び第二側板の間に第一ボードを受容するための第一スロットと該第一スロットの一端で広くなる開口端とを規定し、前記第一ロック部材は、第一回転軸、第一回転部材、及び第一ロック部を含み、前記第一回転軸は、前記第一台座の前記開口端に受容されて前記第一台座に枢着され、前記第一回転部材は、前記第一回転軸に接続される一端と、前記第一台座の前記第一スロットに面する内壁を有する他端と、を備え、前記第一回転部材はさらに、前記台座の前記第二側板に面する第一側壁と、前記第一台座の前記第一側板に面する第二側壁と、を備え、前記第一側壁には第一溝が形成され、前記第一溝は前記台座の前記スロットに整列されて前記第一ボードの側端部に受容され、前記第一ロック部は、前記第一回転部材の他端の内壁に接続されて前記第一ボードの側端部に規定された切り欠き部と係合するように構成され、前記第一ロック部は、前記第一回転部材の前記第一側壁と同一平面にあり前記第一台座の前記第二側板の方に沿ったブロックとともに形成される第一側壁を備え、前記ブロックは、前記台座の前記第一スロットに整列されて前記第一ボードの前記切り欠き部と係合される、第一ソケットと、
第二台座と第二ロック部材とを含む第二ソケットであって、前記第二台座は第三側板及び前記第三側板と平行な第四側板を含み、前記第三側板と第四側板との間には前記第二ボードを受容するための第二スロットと前記第二スロットの一端で広くなる開口端を規定し、
前記第二ロック部材は、第二回転軸と、第二回転部材と、第二ロック部とを含み、前記第二回転軸は、前記第二台座の前記開口端に受容されて前記第二台座に枢着され、前記第二回転部材は、前記第二回転軸に接続される一端と、前記第二スロットに面する内壁を備えた他端とを有し、前記第二回転部材は更に前記第二台座の前記第三側板に面する第一側壁と前記第二台座の前記第四側板に面する第二側壁とを備え、
前記第一側壁には第二溝が形成され、前記第二溝は前記第二台座の前記第二スロットに整列されて前記第二ボードの前記側端部を受容し、前記第二ロック部は前記第二回転部材の他端の前記内壁に接続され、第二ボードの前記側端部に規定された切り欠き部と係合するように構成され、
前記第二ロック部は、前記第二回転部材の前記第一側壁と同一平面にある第一側壁を備え、前記第二台座の前記第三側板の方向にブロックが形成され、前記ブロックは、前記第二台座の前記第二スロットと整列されて前記第二ボードの前記切り欠き部と係合し、
前記第一ソケットの前記第一回転軸は前記第二ソケットの前記第二回転軸に対峙し、前記第一ソケットの前記第一回転部材は前記第二回転部材の前第一側壁と前記第二回転軸と前記第二台座の前記第三側板との間の空間を臨み、前記第二ソケットの前記第二回転部材は、前記第一回転部材の前記第一側壁と前記第一回転軸と前記第一台座の前記第二側板との間の空間を臨むことを特徴とするマザーボード。
【請求項８】
前記第一ロック部材は、前記第一回転部材から凸状に形成されたロック部材であり、また前記第二ロック部材は、前記第二回転部材から凸状に形成されたロック部材であることを特徴とする、請求項７に記載のマザーボード。
【請求項９】
前記第一回転部材の前記第一側板の垂直方向に対する幅は前記第一、二側板間の距離の半分であり、前記第二回転部材の前記第三側板の垂直方向に対する幅は、前記第三、四側板間の距離の半分であることを特徴とする、請求項７に記載のマザーボード。
【請求項１０】
前記第二ロック部材は、前記第一ロック部材と同一形状であることを特徴とする、請求項９に記載のマザーボード。
【発明の詳細な説明】
【技術分野】
【０００１】
本発明は、カートリッジ式回路基板のソケット構造に関する。より詳しくは、ソケット上のロック部材構造に関する。
【背景技術】
【０００２】
一般に知られているパーソナルコンピュータ（以下、適宜「パソコン」と略称する。）のマザーボードには、通常、複数個のカートリッジ式回路基板をそれぞれ挿着できるソケットが設置されている。挿着されるカートリッジ式回路基板は、インターフェースカードであったり、ＰＣカードアダプターであったり、或いはＳＩＭＭ（シム：Ｓｉｎｇｌｅ  Ｉｎｌｉｎｅ  Ｍｅｍｏｒｙ  Ｍｏｄｕｌｅ  ）や、ＤＩＭＭ（ディム：Ｄｕａｌ  Ｉｎｌｉｎｅ  Ｍｅｍｏｒｙ  Ｍｏｄｕｌｅ）といった回路基板であり、さらには、テストボード或いはその他の用途のボードであったりもする。このような各種のボードが挿入されるソケットは、挿入される回路基板との間の電気的接続の品質を確保するものであり、或いはその端部にロック部材を設けて回路基板をロックする構造のものがある。例えば、よくあるメモリーモジュールソケットは、台湾の特許公告第Ｍ３５０７１０、Ｍ３２０７４７、Ｉ２８８５０６、Ｍ２８９９１８ 、４０４５９９号等特許（特許文献１乃至５）が公開されており、これらを参照できる。
【０００３】
特開Ｍ３２０７４７号公報（特許文献２）の図４中に示される従来のマザーボード上の複数個のメモリーモジュールソケットは、その幅の間隔に従い並列され、各二つのメモリーモジュールソケット間の間隔はマザーボードのスペースの一部分を占領し、スペースを浪費している。対して、特開Ｍ３２０７４７号公報（特許文献３）で開示されている技術案は、前述の問題を回避できる。
【０００４】
電子部品の小型化を考慮するならば、各種電子部品内部の回路基板の大きさが制限されことになる。かかる制限は、デスクトップパソコンやノートパソコンは勿論、各種パソコンサーバー中のマザーボードも例外ではない。図７に示す従来のサーバー本体９も、サイズ上の制限により、このサーバー上のメモリーモジュールソケット９０が（図７中の上下）二組の並列でレイアウトされる。この例では、各々の組のメモリーモジュールソケット９０は、複数個（図７では３個）のソケットが幅方向に所定間隔で並列される。また、この例では、一組のメモリーモジュールソケット９０の一端は、一対一の対応関係で他組のメモリーモジュールソケット９０の一端と所定間隔（図８の間隔Ｗ）を介して隣接された配置となっている。
【０００５】
図８に示すように、マザーボード９上の各メモリーモジュールソケット９０の一端側には、かかるソケットの端部に枢着され回動可能なロック部材９０１を有している。かかるロック部材９０１は、メモリーモジュールソケット９０に上述したカートリッジ式回路基板を差し込んだときに、かかる回路基板に設けられた凹部と契合することによって当該回路基板をロックし、メモリーモジュールソケット９０に対する当該回路基板の離脱や位置ずれ等を禁止ないし抑止する。図８に、カートリッジ式回路基板（図示せず）がロックされるロック部材（９０１）の位置を示す。ロック部材のかかる位置は、ロック位置と呼ばれる。またこのロック部材９０１は、カートリッジ式回路基板をメモリーモジュールソケット９０から抜き出す際に、ユーザにより回動され或いは回路基板によって移動させられることで、当該回路基板をソケットから外す機能を担う。このときロック部材９０１は、図９に示す解放位置に移動される。
【先行技術文献】
【特許文献】
【０００６】
【特許文献１】台湾公告第Ｍ３５０７１０号公報
【特許文献２】台湾公告第Ｍ３２０７４７号公報
【特許文献３】台湾公告第Ｉ２８８５０６号公報
【特許文献４】台湾公告第Ｍ２８９９１８号公報
【特許文献５】台湾特許第４０４５９９号公報
【発明の概要】
【発明が解決しようとする課題】
【０００７】
しかしながら、前述した従来の技術では、メモリーモジュールソケット９０の一組の一端と他組の一端との間隔Ｗは、ロック部材９０１を図９の解放位置まで動かすために、相当に大きな距離を確保する必要があった。この間隔Ｗは、僅かなスペースも有効に活用する必要のあるマザーボード９にとっては、いわば浪費的なものであった。
【課題を解決するための手段】
【０００８】
本発明は、上記従来の問題点に鑑みて提案されたものであり、マザーボードのスペースの利用効率を高めるソケットを提供することを目的とする。本願発明のソケットは、台座と第一ロック部材を含む。台座は、第一側板と第二側板とを備える。第二側板は、第一側板の脇に平行に対応して設置される。第一側板と第二側板の間には、ボードを挿入できるスロットが形成され、かかるスロットの一端では幅広の開口端が形成される。第一ロック部材は、第一回転軸と、第一回転部材と、第一ロック部とを含む。第一回転軸は、台座の開口端に受容されて台座に枢着される。第一回転部材の両端は、一端が第一回転軸に接続され他端が第一ロック部に接続される。さらに第一回転部材は、台座の第二側板に面する第一側壁及び台座の前記第一側板に面する第二側壁を備え、第一側壁は台座のスロットに整列されてボードの側端部を受ける第一溝が形成される。第一ロック部は、第一回転部材の他端の内壁と接続されてボードの側端の切り欠き部と係合するように構成され、第一回転部材の第一側壁と同一平面にある第一側壁を備え、台座の前記第二側板の方向にブロックが形成され、該ブロックが台座のスロットに整列されてボードの切り欠き部と係合し、第一ロック部材の第一回転部材の第一側板の垂直方向に対する幅が台座の開口端の第一側板の垂直方向に対する幅より狭くなることで、第一回転部材の第一側壁と第一回転軸と台座の第二側板との間で第一空間を形成する。
【０００９】
より好ましくは、本発明のソケットは、第二ロック部材をさらに含み、これは第二回転軸と、第二回転部材と、第二ロック部からなる。第二回転軸は、台座の一端に枢着して設置される。第二回転部材の両端は、それぞれ第二回転軸と第二ロック部に接続される。第二ロック部により、挿入されるボードがロックされる。ここでは、第一側板の垂直方向に対する第二回転部材の幅は、第一側板の垂直方向に対する第二回転軸の幅より狭い。
【００１０】
第一、第二回転部材の両者は、位置上相互にずらされて位置され、これにより、本発明のソケットが二つ、端対端（すなわち両ソケットの一端部同士が対向する配置）で回路基板上に並列される場合に、両ソケットの対向する端部の間隔を大幅に縮小することが可能となり、これにより回路基板のスペースを節約できスペースの利用効率を高める目的を達成できる。
【００１１】
本発明は、さらに、上述の本発明のソケットを少なくとも二つ使用するマザーボードを提供する。このマザーボードは、回路基板と、第一ソケットと、第二ソケットを含む。第一ソケット、第二ソケットは、端対端で回路基板上に設置される。第一ソケット、第二ソケットの構造は、上述の本発明のソケットと相等しい。
【００１２】
より好ましくは、本発明のマザーボードの第一ソケット、第二ソケットは、上述の本発明ソケットの第一、第二ロック部材と同じ構造を有し、これによりモジュールのコストを節約し、組み立ての利便性を向上させることができる。
【図面の簡単な説明】
【００１３】
【図１】本発明に係るソケットの実施形態の立体外観図である。
【図２】図１の実施形態の俯瞰図である。
【図３】本発明のソケットにボードが挿入された状態を示したものである。
【図４】本発明のソケットの第一ロック部材と第二ロック部材がボードをロックする状態を示すものである。
【図５】本発明の第一ソケットと第二ソケットが端対端の形式で回路基板上に並列された状態を示すものである。
【図６】本発明の第一ソケットと第二ソケットが端対端の形式で回路基板上に並列された状態を示すものである。
【図７】サーバー本体のソケットの配列方式を示すものである。
【図８】従来のソケットのロック部材がロック位置に位置した状態を示すものである。
【図９】従来のソケットのロック部材が解放位置に位置した状態を示すものである。
【発明を実施するための形態】
【００１４】
以下、本発明を実施するための形態について、詳細に説明する。なお、本発明は、以下に説明する実施形態に限定されるものではない。
【００１５】
図１、図２は、それぞれ本発明に係る実施形態のソケットの立体外観図と俯瞰図を示す。本実施形態のソケットは、マザーボード等の各種回路基板上に取付けられる台座１と、台座１に回動可能に取付けられる第一ロック部材２及び第二ロック部材３からなる。ここでは、台座１は、第一側板１１と第二側板１２とで構成され、第二側板１２は第一側板１１の脇に平行に対峙して設置され、第一側板１１と第二側板１２との間はスロット１０となる。
【００１６】
第一ロック部材２は、第一回転軸２０と、第一回転部材２１と、第一ロック部２２とからなる。第一回転軸２０は、台座１の一端に枢着して設置される。この第一回転軸２０は、第一回転部材２１の下端に形成され、台座１の一端に取付けられ、第一ロック部材２を台座１に対して回動可能とさせる。また、第一回転部材２１の上端には第一ロック部２２が形成される。ここでは、第一側板１１の垂直方向に対する第一回転部材２１の幅は、（第一側板１１の垂直方向に対する）第一回転軸２０の幅より狭い。また、図１に示すように、第一回転部材２１は、第一側板１１の内面に隣接され、第二側板１２の内面からは離隔されている。この実施形態では、第一ロック部２２は、挿入されるボード（回路基板）をロックする強度を高めるための部位であり、第一回転部材２１の上端から凸状に形成されたロック部材である。なお、第一ロック部２２の構造形態は、これに限定されるものではなく、挿入されるボード（回路基板）をロックできる構造形態であればよい。
【００１７】
第二ロック部材３は、第二回転軸３０（図示せず）と、第二回転部材３１と、第二ロック部３２とからなる。第二回転軸３０は台座１の一端に枢着して設置される。第二回転部材３１の下端は第二回転軸３０に接続され、また下端は第二ロック部３２に接続される。ここでは、第二回転部材３１の第一側板１１の垂直方向に対する幅は第二回転軸３０の第一側板１１の垂直方向に対する幅より狭い。この実施形態では、第二ロック部３２は、上記第一ロック部２２と同様の機能を有する部位であり、第二回転部材３１の上端から凸状に延設されたロック部材である。なお、第二ロック部３２の構造形態は、上記第一ロック部２２と同様に、これに限定されるものではない。
【００１８】
図３は、本実施の形態のソケットにボード４が挿入され、かつ、第一回転部材２１及び第二回転部材３１が各々解放位置まで回動された状態を示している。ここで、ボード４は、その一部（すなわち下側）がスロット１０に插入される。ボード４は、インターフェースカードや、ＰＣカードアダプターや、ＤＩＭＭ(ディム：Ｄｕａｌ  Ｉｎｌｉｎｅ  Ｍｅｍｏｒｙ  Ｍｏｄｕｌｅ)や、或いは他の種類のカートリッジ式回路基板であり、さらには回路を有しない仮ボードであってもよい。本実施形態では、ボード４はＤＩＭＭであり、ソケットはＤＩＭＭ専用ソケットである。本実施形態では、ボード４の対向する両辺は、それぞれ第一ロック溝４０と第二ロック溝４１を有する。本実施形態では、ソケットの第一ロック部２２によりボード４の第一ロック溝４０がロックされ、第二ロック部３２によりボード４の第二ロック溝４１がロックされる。図３では、第一ロック部２２及び第二ロック部３２と、ボード４の第一ロック溝４０及び第二ロック溝４１とのロック（契合）が解除され、ボード４を取り外せる状態を示している。
【００１９】
図４は、本実施形態のソケットにボード４が挿入され、さらに、第一回転部材２１と第二回転部材３１が各々ロック位置まで回動された状態を示している。このとき、第一ロック部２２と第二ロック部３２は、対応するボード４の第一ロック溝４０と第二ロック溝４２を各々ロックし、ボード４をソケットから外れない状態にさせる。
【００２０】
特に、第一側板１１の垂直及び長手方向に対して直交する、第一回転部材２１の幅は、第一回転軸２０の幅より狭い。また、第一側板１１の垂直及び長手方向に対して直交する、第二回転部材３１の幅は、第二回転軸３０の幅より狭い。そして、第一回転部材２１と、第二回転部材３１の両者は、かかる幅方向の位置において相互にずらされて位置される。この特徴は、本実施形態のソケットが二つ、端対端の形式で並列され回路基板に設置された場合に、スペースを節約することが可能となり、その詳細は後述する。
【００２１】
このモジュールのコスト節約を考慮すれば、第一ロック部材２の形状及び構造は、第二ロック部材３と完全に同一とする。このほか、第一ロック部材２か第二ロック部材３の内の一つを省略し、これによりさらに製造コストを削減することも可能である。
【００２２】
本実施形態の第一ロック部材２と第二ロック部材３は、完全に同形となっている。より具体的には、第一側板１１の垂直及び長手方向に対して直交する、第一回転部材２１の幅は、第一回転軸２０の幅の二分の一に等しく、同様に、第一側板１１の垂直及び長手方向に対して直交する、第二回転部材３１の幅は、第二回転軸３０の幅の二分の一に等しい。
【００２３】
図５は本発明に係る実施形態のマザーボードを示す。この実施形態は、二つの上述したソケットをマザーボード上に設置させた形態である。詳述すると、マザーボードは、回路基板５と、回路基板５上に端対端（すなわち両ソケットの一端部同士が対向する配置）で並列される第一ソケットと第二ソケットで構成される。第一ソケットは、第一台座１ａと第一ロック部材２ａからなる。第二ソケットは、第二台座１ｂと第二ロック部材３ｂからなる。簡明のため、図５では、各ソケットの一部分のみを示す。
【００２４】
第一ソケットの第一台座１ａは、第一側板１１ａ及び第二側板１２ａを含む。第二側板１２ａは、第一側板１１ａの脇に平行に対応（対峙）して設置される。また、第一側板１１ａと第二側板１２ａ間にはスロット１０ａが形成され、かかるスロット１０ａに第一板（図示せず）が挿入される。第一ロック部材２ａは、第一回転軸２０ａと、第一回転部材２１ａと、第一ロック部２２ａとからなる。第一回転軸２０ａは、第一台座１ａの一端に枢着して設置される。第一回転部材２１ａの下端には第一回転軸２０ａが形成され、また、第一回転部材２１ａの上端には第一ロック部２２ａが形成され、かかる第一ロック部２２ａにより第一板がロックされる。ここでは、第一ロック部２２ａによる第一板のロック及び解放に関しては、前述した実施形態の第一ロック部２２と同じであるため、さらなる説明を省略する。本実施形態の第一ロック部２２ａは、第一回転部材２１ａの上端から凸状に形成されたロック部材である。上述と同様に、第一ロック部２２ａの構造形態は、これに限定されるものではなく、挿入されるボード（回路基板）をロックできる構造形態であればよい。
【００２５】
第二ソケットの第二台座１ｂは、第三側板１１ｂ及び第四側板１２ｂを含む。第三側板１１ｂは、第四側板１２ｂの脇に平行に対峙して設置される。また、第三側板１１ｂと第四側板１２ｂ間にはスロット１０ｂが形成され、かかるスロット１０ｂに第二板(図示せず)が挿入される。第二ロック部材３ｂは、第二回転軸３０(図中に示されないが、前述した実施形態の第二回転軸３０と相等しい。)と、第二回転部材３１ｂと、第二ロック部３２ｂで構成される。第二回転軸３０は、第二台座１ｂの一端に枢着して設置される。
第二回転部材３１ｂの下端には第二回転軸が形成され、また、第二回転部材３１ｂの上端には第二ロック部３２ｂが形成され、第二ロック部３２ｂにより第二板がロックされる。ここでは、第二ロック部３２ａによる第二板のロック及び解放に関しては、上述する第二ロック部３２と同じであるため、さらなる説明を省略する。この実施形態の、第二ロック部３２ｂは、第二回転部材３１ｂの上端から凸状形成されたロック部材である。なお、第二ロック部３２ｂの構造形態はこれに限定されるものではなく、挿入されるボード（回路基板）をロックできる構造形態であればよい。
【００２６】
同様に、このモジュールのコスト節約を考慮すれば、第一ロック部材２ａの形状及び構造は、第二ロック部材３ｂと完全に同一とする。ここでは、第一側板１１ａの垂直及び長手方向に対して直交する、第一回転部材２１ａの幅は、第一側板１１ａ及び第二側板１２ａ間の距離の半分が好ましい。また、第三側板１１ｂの垂直及び長手方向に対して直交する、第二回転部材３１ｂの幅は、第三側板１１ｂ及び第四側板１２ｂ間の距離の半分が好ましい。
【００２７】
但し、本発明のロック部材の形状及び構造は、相互に同一であることに限定されるものではなく、互いにずらして位置される他の構造にも適用される。例えば、第一回転部材の幅が両側板間の距離の三分の二であり、第二回転部材の幅が両側板間の距離の三分の一であり、かつ、第一回転部材と第二回転部材が解放位置に来るときに相互に交錯する構成とすることもできる。或いは、第一回転部材は両方向に回動するアームであり、第二回転部材は、解放位置に来たときに、第一回転部材（すなわち両方向に回動するアーム）の間を通過し、互いにずれた位置になるように構成することもできる。
【００２８】
図５では、第一回転部材２１ａと第二回転部材３１ｂは、それぞれロック位置に位置している。特に、第一回転軸２０ａは第二回転軸に対峙しており、この例では両軸が平行に配置される。また、第一回転部材２１ａは、一側面が第一側板１１ａに隣接して位置し、第二回転部材３１ｂと第三側板１１ｂの間に形成される空間を臨んでいる。同様に、第二回転部材３１ｂは、一側面が第四側板１２ｂに隣接して位置し、また、第一回転部材２１ｂと第二側板１２ａの間に形成される空間を臨んでいる。かかる構成により、第一回転部材２１ａと第二回転部材３１ｂが解放位置に位置するときに、図６に示すように、第一、第二回転部材２１ａと第二回転部材３１ｂは相互にずらされて位置され、互いに干渉しない。この特徴により、第一台座１ａ及び第二台座１ｂ間の間隙Ｇは非常に狭い幅を保つことができ、或いは、第一台座１ａと第二台座１ｂとを相互に密接させることもできる。第一台座１ａと第二台座１ｂとの間の間隙Ｇは、図８、図９に示す従来の両ソケット間の間隔Ｗより小さくすることができ、猫の額程の回路基板上でさらなる利用スペースを得ることが可能となる。
【００２９】
上述の説明のとおり、本発明のソケットは、端対端に並列される場合に、ソケットとソケットの間の間隙を縮小させることができるので、スペースを占領せず、マザーボードにとっては、マザーボードのスペースの利用効率を顕著に高めることが可能となる。
【００３０】
上述の実施形態は、本発明の技術思想及び特徴を説明するためのものにすぎず、当技術分野を熟知する者に本発明の内容を理解させると共にこれをもって実施させることを目的とするものであって、本発明の特許範囲を限定するものではない。従って、本発明の精神を逸脱せずに行う各種の同様の効果をもつ改良又は変更は、後述の請求項に含まれるものと解釈すべきである。
【符号の説明】
【００３１】
１  台座
１０  スロット
１１  第一側板
１２  第二側板
２、２ａ  第一ロック部材
２０、２０ａ  第一回転軸
２１、２１ａ  第一回転部材
２２、２２ａ  第一ロック部
３、３ｂ  第二ロック部材
３０  第二回転軸
３１、３１ｂ  第二回転部材
３２、３２ｂ  第二ロック部
４  ボード
４０  第一ロック溝
４１  第二ロック溝
５  回路基板
１ａ  第一台座
１０ａ  第一スロット
１ｂ  第二台座
１０ｂ  第二スロット
９  サーバー本体
９０  メモリーモジュールソケット
９０１  ロック部材
Ｗ  間隔
【図１】
0005230714.tif 000002
【図２】
0005230714.tif 000003
【図３】
0005230714.tif 000004
【図４】
0005230714.tif 000005
【図５】
0005230714.tif 000006
【図６】
0005230714.tif 000007
【図７】
0005230714.tif 000008
【図８】
0005230714.tif 000009
【図９】
0005230714.tif 000010